(57)【特許請求の範囲】
【請求項１】
バンド部とこのバンド部の根元に設けられたヘッド部とを備え、上記バンド部に、外面がこのバンド部の根元側に向かって上り勾配になった多数の係止部が並べて配備され、上記ヘッド部に、先端面が上記係止部の端面に対する噛合面に形成された複数の弾性を備えた爪片を環状に配列してなる爪片群が設けられ、その爪片群によって囲まれた上記バンド部の挿通空間がその爪片群の先端側に近づくほど径小になっている封緘具であって、
上記バンド部の先端部に具備された先行ガイド部に、上記爪片群を形成している個々の爪片の噛合面の相互間に跨がる大きさ及び形状を有していると共に、上記爪片群の先端側からその内側に押し入れることが不可能で上記爪片群の基端側からその内側に挿入することが可能な逆挿入防止部が形成されていることを特徴とする封緘具。
【請求項２】
上記逆挿入防止部が上記バンド部の全周囲に張り出したフランジでなる請求項１に記載した封緘具。
【請求項３】
上記爪片群を形成している個々の上記爪片の上記噛合面及びその噛合面に対応する上記フランジの端面によって形成された係止面が、上記バンド部の軸線に対し直交する平面として形成されている請求項２に記載した封緘具。
【請求項４】
上記バンド部が断面円形であり、上記係止部が断面円形である請求項１、請求項２、請求項３のいずれかに記載した封緘具。
【請求項５】
上記爪片群を形成している個々の上記爪片の先端部内面が、その爪片群の軸線と平行なストレート面として形成されており、そのストレート面と上記爪片の根元部との間に位置する内面が上記爪片群の軸線に対して傾斜した傾斜面として形成されている請求項１、請求項２、請求項３、請求項４のいずれかに記載した封緘具。
【請求項６】
合成樹脂の一体成形体でなる請求項１、請求項２、請求項３、請求項４、請求項５のいずれかに記載した封緘具。
【発明の詳細な説明】
【０００１】
【発明の属する技術分野】
本発明は、封緘具、詳しくは本来の封緘機能を確実に発揮させるための対策が講じられた封緘具に関する。
【０００２】
【従来の技術】
図１２に従来の封緘具を示してある。この封緘具は合成樹脂の一体成形体でなる。封緘具は断面円形のバンド部１を有し、このバンド部１は、並べて配備された多数の係止部３…を有していると共に、その先端部には細い先行ガイド部１２が備わっており、その先行ガイド部１２には、手の指でその先行ガイド部１２を引張るときの便宜のために滑り止め用の膨出部１３がリング状に備わっている。また、バンド部１の根元に設けられた筒状のヘッド部２の内部には、図１３や図１４のように、３つの爪片４１を環状に配列してなる爪片群４が設けられている。
【０００３】
このような封緘具において、図１５のようにバンド部１をループ状に撓ませてその先行ガイド部１２をヘッド部２にその頂部２ａ側から矢符ａのように挿入すると、図１６のように、先行する係止部３が上記爪片群４をすり抜けて挿入される。このときの挿入方向は順方向である。そして、バンド部１が同図の矢符ｂのようにヘッド部２からの引抜き方向に引張られたときには、爪片群４をすり抜けている所定の係止部３がその爪片群４に噛合してその引抜きが阻止される。したがって、バンド部１が順方向に挿入された形になっているときには、本来の封緘機能が発揮される。
【０００４】
【発明が解決しようとする課題】
ところで、従来の封緘具においては、図１４のように、爪片群４を形成している３つの爪片４１は、その内面４２が爪片群４の軸線に対して傾斜した傾斜面として形成されていて、その爪片群４によって囲まれたバンド部１の挿通空間２１がその爪片群４の先端側に近づくほど径小になっている。そのため、図１７のようにバンド部１を上記とは反対向きのループ状に撓ませてその先行ガイド部１２をヘッド部２にその基部２ｂ側から矢符ｃのように挿入した場合でも、先行する係止部３が爪片群４をすり抜けて挿入されてしまう。このときの挿入方向は逆方向である。このようにバンド部１が逆方向に挿入された形になっていると、見掛けの上では、あたかもバンド部１がヘッド部２に引き抜かれないように挿入されているかのように見える。なお、先行ガイド部１２に設けられている膨出部１３は、その外面が断面円弧状に湾曲していて、上記したように手の指で掴んで引張るときの滑り止めとしての作用を発揮するだけであるので、図１７の矢符ｃのように先行ガイド部１２を逆方向に挿入したときに、その膨出部１３が爪片４１に係止されてバンド部１が逆方向に挿入されることを阻止するというような機能を発揮しない。
【０００５】
しかしながら、図１７のようにバンド部１が逆方向に挿入された形になっていると、同図に矢符ｄで示すようにバンド部１が引抜き方向に引張られたときに、爪片群４と係止部３との噛合いによる本来の引抜き防止機能が発揮されず、そのためにバンド部１がヘッド部２から容易に抜け出てしまい、本来の封緘機能がまったく発揮されない。
【０００６】
したがって、このことを悪用して、当初は図１７で説明したような見掛けの上で封緘が行われているに過ぎない形で封緘具を荷物などに取り付けておき、事後的にバンド部１をヘッド部２から引き抜いて封緘具を取り外すことにより、荷物などの内容物を抜き出すといった不正行為の行われるおそれがある。
【０００７】
本発明は以上の事態に鑑みてなされたものであり、バンド部をヘッド部に挿入することができたときには本来の封緘機能が必ず発揮される一方で、本来の封緘機能が発揮され得ないような形ではバンド部をヘッド部に挿入することができなくなるような対策を講じることによって、当該封緘具を取り付けた荷物などの内容物が不正に抜き出されるというような事態を未然に防止することのできる封緘具を提供することを目的とする。
【０００８】
【課題を解決するための手段】
請求項１に係る発明の封緘具は、バンド部とこのバンド部の根元に設けられたヘッド部とを備え、上記バンド部に、外面がこのバンド部の根元側に向かって上り勾配になった多数の係止部が並べて配備され、上記ヘッド部に、先端面が上記係止部の端面に対する噛合面に形成された複数の弾性を備えた爪片を環状に配列してなる爪片群が設けられ、その爪片群によって囲まれた上記バンド部の挿通空間がその爪片群の先端側に近づくほど径小になっている封緘具であって、上記バンド部の先端部に具備された先行ガイド部に、上記爪片群を形成している個々の爪片の噛合面の相互間に跨がる大きさ及び形状を有していると共に、上記爪片群の先端側からその内側に押し入れることが不可能で上記爪片群の基端側からその内側に挿入することが可能な逆挿入防止部が形成されている、というものである。
【０００９】
この発明において、逆挿入防止部は、ヘッド部の爪片群の先端側からその内側に押し入れることが不可能になっている。言い換えると逆挿入が不可能である。この場合、仮に逆挿入が可能であるとすると、先行する係止部が爪片群をすり抜けて図１７で説明した形になり、封緘機能が発揮され得なくなるのであるが、上記のように逆挿入が不可能になっているために、封緘機能の発揮され得ないような形ではバンド部をヘッド部に挿入することができない。
【００１０】
これに対し、逆挿入防止部が、爪片群の基端側からその内側に挿入されたときには、その逆挿入防止部が爪片群を押し拡げながらその爪片群をすり抜ける。言い換えると順挿入は可能である。そして、逆挿入防止部が順挿入されて爪片群をすり抜けた後、さらにバンド部が爪片群に挿入されると、先行する係止部が爪片群をすり抜けて図１６で説明した形になる。そのため、この形では、バンド部がヘッド部からの引抜き方向に引張られたときに、爪片群をすり抜けている所定の係止部の端面が爪片群を形成している個々の爪片の噛合面に噛合してその引抜きが阻止される。これにより、本来の封緘機能が発揮される。
【００１１】
請求項２に係る発明の封緘具は、請求項１に記載したものにおいて、上記逆挿入防止部が上記バンド部の全周囲に張り出したフランジでなる、というものである。
【００１２】
この発明によれば、バンド部が逆方向に挿入されようとしたときに、フランジによって形成されている逆挿入防止部が爪片群を形成している個々の爪片の全部の噛合面に係止されるので、バンド部が逆方向に挿入されようとしたときの力が全部の爪片によリ分散して受け止められるようになる。したがって、爪片の先端が圧潰されたり変形したりして逆挿入防止部が爪片群をすり抜けてしまうといった事態が起こりにくい。
【００１３】
請求項３に係る発明の封緘具は、請求項２に記載したものにおいて、上記爪片群を形成している個々の上記爪片の上記噛合面及びその噛合面に対応する上記フランジの端面によって形成された係止面が、上記バンド部の軸線に対し直交する平面として形成されている、というものである。
【００１４】
この発明によれば、バンド部が逆方向に挿入されようとしたときには、同じ平面である爪片の噛合面とフランジの係止面とがバンド部の軸線に対して平行な方向で押し合う。しかも、爪片群によって囲まれたバンド部の挿通空間がその爪片群の先端側に近づくほど径小になっているので、上記した噛合面と係止面とが押し合ったときには、爪片群を形成している個々の爪片を内側に押し倒すような力が発生する。このことにより、バンド部が逆方向に挿入されようとしたときの力でフランジが爪片群を押し拡げてすり抜けるといった事態が起こらず、そのことがバンド部の逆挿入を防止することに役立つ。
【００１５】
請求項４に係る発明の封緘具は、請求項１、請求項２、請求項３のいずれかに記載したものにおいて、上記バンド部が断面円形であり、上記係止部が断面円形である、というものである。この構成であれば、バンド部を撓ませる方向を自由に選択できる利便がある。
【００１６】
請求項５に係る発明の封緘具は、請求項１、請求項２、請求項３、請求項４のいずれかに記載したものにおいて、上記爪片群を形成している個々の上記爪片の先端部内面が、その爪片群の軸線と平行なストレート面として形成されており、そのストレート面と上記爪片の根元部との間に位置する内面が上記爪片群の軸線に対して傾斜した傾斜面として形成されている、というものである。
【００１７】
この発明によれば、爪片群を形成している個々の爪片の先端部内面が、その爪片群の軸線と平行なストレート面として形成されてことにより、バンド部が逆方向に挿入されようとして上記した爪片の噛合面とフランジの係止面との押し合いが生じても、爪片の先端が圧潰されたり変形したりするという事態が容易に生じなくなり、そのことが、バンド部の逆挿入を確実に防止することに役立つ。
【００１８】
請求項６に係る発明の封緘具は合成樹脂の一体成形体でなる、というものである。この発明によれば、上記した各請求項に係る発明の封緘具を安価に製作することができる。
【００１９】
【発明の実施の形態】
図１は本発明に係る封緘具を一部省略した示した概略平面図、図２は同封緘具を一部省略した示した概略側面図、図３は使用手順説明図、図４は使用状態説明図、図５は先行ガイド部１２を拡大した平面図、図６はヘッド部２を拡大した平面図、図７は図６のＶＩＩ−ＶＩＩ線に沿う部分断面図、図８は図６のＶＩＩＩ−ＶＩＩＩ線に沿う断面図、図９は図８のＩＸ矢視図、図１０は封緘作用を説明するための断面図、図１１は逆挿入防止部の作用を説明するための断面図である。
【００２０】
図１及び図２に示した封緘具は合成樹脂の一体成形体でなる。この封緘具の成形に用いる合成樹脂としてナイロン６６やポリプロピレンを用いると、バンド部１が大きな力で引張られてもそのバンド部１が延伸するだけで容易に引きちぎられてしまうという事態が起こりにくい。
【００２１】
図１及び図２のように、バンド部１の根元部分１４に板片状の表示札１５が連設されており、この表示札１５に名前などを表示することができるようになっている。また、バンド部１は、その先端部に細い先行ガイド部１２を有している。さらに、バンド部１は、その根元部分１４と先行ガイド部１２との間の部分が断面円形に形成されていて、その部分に断面円形の多数の係止部３…が等間隔おきに並べて配備されている。これらの係止部３…のそれぞれは、その外面がバンド部１の根元側に向かって上り勾配になっている。図５にも示したように、上記先行ガイド部１２には、手の指でその先行ガイド部１２を引張るときの便宜のために２条の滑り止め用の膨出部１３がリング状に備わっていると共に、それらの膨出部１３に並べてその先行ガイド部１２の全周囲に張り出したフランジでなる逆挿入防止部５が備わっている。
【００２２】
バンド部１の根元には、上記表示札１５の端部近傍箇所から突出されたヘッド部２が設けられている。このヘッド部２は筒状で、その内部に爪片群４を有している。図６〜図９のように、爪片群４は４つの弾性を備えた爪片４１を等角度おきの環状に配列してなり、それぞれの爪片４１は、その根元部４１ａだけがヘッド部２に連設されてそのヘッド部２から立ち上がった形に形成されている。また、図７に一部拡大して示したように、それぞれの爪片４１は、その先端部内面が、その爪片群４の軸線と平行なストレート面４２ａとして形成されていると共に、そのストレート面４２ａと根元部４１ａとの間に位置する内面が爪片群４の軸線に対して傾斜した傾斜面４２ｂとして形成されている。このため、４つの爪片４１…によって形成されている爪片群４によって囲まれた空間は、爪片４１の傾斜面４２ｂに対応する部分が爪片群４の先端側に近付くほど径小になっており、また、爪片４１のストレート面４２ａに対応する部分が軸方向のどの部分も同一の直径になっている。そして、爪片群４によって囲まれたこの空間が、バンド部を挿通させるための挿通空間２１として形成されている（図６及び図９参照）。さらに、それぞれの爪片４１の先端面は上記したバンド部１に設けられている係止部３の端面３１（図１０参照）に対する噛合面４３として形成されている。
【００２３】
ここで、図５及び図７に示した上記先行ガイド部１２の直径寸法Ｄ３は、爪片群４によって囲まれた上記挿通空間２１の最径小部の直径寸法Ｄ１と同一又は略同一であり、その先行ガイド部１２に設けられているフランジでなる逆挿入防止部５の直径寸法Ｄ２は上記挿通空間２１の最径小部の直径寸法Ｄ１よりも大きい。したがって、逆挿入防止部５は、爪片群４を形成している個々の爪片４１の噛合面４３の相互間に跨がる大きさ及び形状を有していて、爪片群４の先端側からその内側に押し入れることが不可能で、爪片群４の基端側からその内側に挿入することが可能になっている。
【００２４】
また、爪片群４を形成している個々の爪片４１の噛合面４３はその爪片群４の軸線に対して直交する平面として形成されており、同様に、フランジでなる逆挿入防止部５の端面によって形成されている係止面５１は先行ガイド部１２の軸線に対して直交する平面として形成されている。これに対し、滑り止め用の膨出部１３の外面は断面円弧状に湾曲している。したがって、上記逆挿入防止部５は滑り止め用としても機能するけれども、この逆挿入防止部５と本来の滑り止め用の膨出部１３とは、その外面形状によって明確に区別されている。
【００２５】
以上説明した封緘具において、図３のようにバンド部１をループ状に撓ませてその先行ガイド部１２をヘッド部２の頂部２ａ側から矢符ａのようにその内側に挿入すると、最初に逆挿入防止部５が爪片群４を押し拡げながらその爪片群４によって囲まれた挿通空間２１をすり抜けた後、続いて係止部３が同様に爪片群４を押し拡げながら挿通空間２１をすり抜けて図１０に示した形になる。この挿入は順挿入である。この形では、バンド部１がヘッド部２からの引抜き方向ｂに引張られたときに、爪片群４をすり抜けている所定の係止部３の端面３１が爪片群４を形成している個々の爪片４１の噛合面４３に噛合してその引抜きが阻止され、本来の封緘機能が発揮される。したがって、図４のようにバンド部１を荷物の例示でなる箱体１００とその箱体１００の蓋１１０との両方に亘って配設しておくと、封緘具を取り外さない限り蓋１１０を開けることができなくなって、箱体１００に収容されている内容物が不正に抜き取られるといった事態が防止される。
【００２６】
これに対し、バンド部１を図３に示したものとは反対向きに撓ませてその先行ガイド部１２を図１１のようにヘッド部２の基部２ｂ側から矢符ｃのように挿入したとき、すなわち逆挿入したときには、同図のように、逆挿入防止部５が爪片群４を形成している個々の爪片４１の噛合面４３に当たってそれ以上は挿入が不可能になる。したがって、逆挿入が未然に防止されるようになり、冒頭で説明したような不正行為、すなわち当初は図１７で説明したような見掛けの上で封緘が行われているに過ぎない形で封緘具を荷物などに取り付けておき、事後的にバンド部１をヘッド部２から引き抜いて封緘具を取り外すことにより、荷物などの内容物を抜き出すといった不正行為の行われるおそれがなくなる。
【００２７】
特に、この実施形態のように、逆挿入防止部５がフランジによって形成されており、爪片４１の噛合面４３が爪片群４の軸線に対して直交する平面として形成されており、逆挿入防止部５の係止面５１が先行ガイド部１２の軸線に対して直交する平面として形成されていると、逆挿入防止部５の係止面５１が４つの爪片４１の噛合面４３に当たったときには、バンド部１が逆方向に挿入されようとしたときの力が４つの爪片４１によリ分散して受け止められるようになって、爪片４１の先端が圧潰されたり変形したりして逆挿入防止部５が爪片群４をすり抜けてしまうといった事態が起こりにくい。爪片４１の先端の圧潰や変形を防ぐことには、爪片４１の先端部内面がストレート面４２ａとして形成されていることも役立つ。その上、バンド部１が逆方向に挿入されようとしたときには、爪片４１の噛合面４３と逆挿入防止部５の係止面５１とがバンド部１の軸線に対して平行な方向で押し合って爪片４１を内側に押し倒すような力が発生するので、バンド部１が逆方向に挿入されようとしたときの力で逆挿入防止部５が爪片群４を押し拡げてすり抜けるといった事態が起こらず、上記した逆挿入が確実に防止される。
【００２８】
なお、先行ガイド部１２に設けられている膨出部１３は、その外面が断面円弧状に湾曲していて、手の指で掴んで引張るときの滑り止めとしての作用を発揮するだけであるので、上記した逆挿入防止部５におけるような逆方向挿入防止機能を発揮し得ない。
【００２９】
以上説明した実施形態では、逆挿入防止部５が係止部３を有していない先行ガイド部１２に設けられているけれども、先行ガイド部１２に係止部が設けられていてもよい。また、バンド部１や係止部３が断面円形に形成されているけれども、これに限らず、たとえば、バンド部１が偏平な帯状に形成されており、そのような形状のバンド部１の片面又は両面に係止部３が鋸歯状に形成されていてもよい。
【００３０】
【発明の効果】
以上のように、本発明に係る封緘具は、バンド部をヘッド部に挿入することができたときには本来の封緘機能が必ず発揮され、本来の封緘機能が発揮され得ないような形ではバンド部をヘッド部に挿入することができないので、見掛けの上だけで封緘が行われているに過ぎない形で封緘具を荷物などに取り付けておき、事後的にバンド部をヘッド部から引き抜いて封緘具を取り外すことにより、荷物などの内容物を抜き出すといった不正行為の行われるおそれを防止することが可能である。
【図面の簡単な説明】
【図１】本発明に係る封緘具を一部省略した示した概略平面図である。
【図２】同封緘具を一部省略した示した概略側面図である。
【図３】使用手順説明図である。
【図４】使用状態説明図である。
【図５】先行ガイド部を拡大した平面図である。
【図６】ヘッド部を拡大した平面図である。
【図７】図６のＶＩＩ−ＶＩＩ線に沿う部分断面図である。
【図８】図６のＶＩＩＩ−ＶＩＩＩ線に沿う断面図である。
【図９】図８のＩＸ矢視図である。
【図１０】封緘作用を説明するための断面図である。
【図１１】逆挿入防止部の作用を説明するための断面図である。
【図１２】従来の封緘具を一部省略した示した概略平面図である。
【図１３】従来の封緘具のヘッド部を拡大した平面図である。
【図１４】図１３のＸＩＶ−ＸＩＶ線に沿う拡大断面図である。
【図１５】従来の封緘具の  使用手順説明図である。
【図１６】従来の封緘具の  封緘作用を説明するための断面図である。
【図１７】従来の封緘具においてバンド部が逆挿入された状態の断面図である。
【符号の説明】
１  バンド部
２  ヘッド部
３  係止部
４  爪片群
５  逆挿入防止部
１２  先行ガイド部
２１  挿通空間
３１  係止部の端面
４１  爪片
４２ａ  ストレート面
４２ｂ  傾斜面
４３  噛合面
５１  係止面
【図１】
0003567079.tif 000002
【図２】
0003567079.tif 000003
【図３】
0003567079.tif 000004
【図４】
0003567079.tif 000005
【図５】
0003567079.tif 000006
【図６】
0003567079.tif 000007
【図７】
0003567079.tif 000008
【図８】
0003567079.tif 000009
【図９】
0003567079.tif 000010
【図１０】
0003567079.tif 000011
【図１１】
0003567079.tif 000012
【図１２】
0003567079.tif 000013
【図１３】
0003567079.tif 000014
【図１４】
0003567079.tif 000015
【図１５】
0003567079.tif 000016
【図１６】
0003567079.tif 000017
【図１７】
0003567079.tif 000018